(57)【要約】【課題】ギター胴部を確実に支持しながらも、ギターを人体に密着することなく演奏でき、ギターの響きをほぼ１００％空間に出せて、ギター本来の美しい音色を響かせることができ、しかも、ほとんどの演奏者の体格、演奏フォームに対応することができ、また、様々なギターの形状にも対応することができるギターの保持台を提供すること。【解決手段】ギター胴部の下端隅部を支持するための下部保持部と、ギター胴部のくぼみ部近傍を支持するための中間保持部とをギター支持フレームに設けた。【選択図】    図１
2004198739.tif 000002
【特許請求の範囲】
【請求項１】
ギター胴部の下端隅部を支持するための下部保持部と、ギター胴部のくぼみ部近傍を支持するための中間保持部とをギター支持フレームに設けてなることを特徴とするギターの保持台。
【請求項２】
下部保持部は上方開口の略矩形枠体よりなり、同略矩形枠体の上方開口部の端縁は、ギター胴部の側部湾曲面を当接するためのスリップ防止体に形成してなることを特徴とする請求項１記載のギターの保持台。
【請求項３】
中間保持部はギター胴部の裏面と側面との境に形成された角部を保持すべく略直角形状の受体に形成してなることを特徴とする請求項１又は請求項２記載のギターの保持台。
【請求項４】
下部保持部は設置位置での開口方向を変更できるべく構成したことを特徴とする請求項２又は請求項３記載のギターの保持台。
【請求項５】
中間保持部は高さと前後左右位置を変更できるべく構成したことを特徴とする請求項１〜４のいずれかに記載のギターの保持台。
【請求項６】
ギター支持フレームは基部と、基部に当接した支柱と、支柱の上端に連設した天井板と、支柱の中間部に連設した中間板とよりなり、下部保持部は上記中間板に載置し、中間保持部は支柱上部に設けてなることを特徴とする請求項１〜５項のいずれかに記載のギターの保持台。
【発明の詳細な説明】
【０００１】
【発明の属する技術分野】
本発明は、ギターの保持台に関するものである。
【０００２】
【従来の技術】
従来、ギターを座って演奏する際には、例えば演奏者が右利きの人であれば、右太もも、右脇、左手でギターを支持し、体全体で抱きかかえるように体に密着させて演奏しており、例え支持具を用いるとしても、体をギターに密着させなければならなかった（例えば、特許文献１参照）。
【０００３】
また、高さ調節機能を備えた足台などを使用して演奏することもあった。
【０００４】
【特許文献１】
特開２００１−３４２６３号公報
【０００５】
【発明が解決しようとする課題】
しかしながら、このようにしてギターを演奏する場合には以下のような問題点があった。
【０００６】
（１）人体の複数部位、例えば右利きの人であれば、右太もも、右脇、左手
でギターを支持するため、不自然な力が継続的に加わって疲労の蓄積となり、演奏者が関節等に違和感を覚えることが多々あった。
【０００７】
（２）ギターと人体との密着部分が多いため、密着した人体でギターの音が吸収され空間に響きにくかった。
【０００８】
（３）足台を使用するため、左右の体重バランスがくずれ、演奏者が腰、臀部、膝に痛みを覚える場合があった。
【０００９】
【課題を解決するための手段】
そこで、本発明は、ギター胴部の下端隅部を支持するための下部保持部と、ギター胴部のくぼみ部近傍を支持するための中間保持部とをギター支持フレームに設けてなるギターの保持台を提供せんとするものである。
【００１０】
また、下部保持部は上方開口の略矩形枠体よりなり、同略矩形枠体の上方開口部の端縁は、ギター胴部の側部湾曲面を当接するためのスリップ防止体に形成してなることにも特徴を有する。
【００１１】
また、中間保持部はギター胴部の裏面と側面との境に形成された角部を保持すべく略直角形状の受体に形成してなることにも特徴を有する。
【００１２】
また、下部保持部は設置位置での開口方向を変更できるべく構成したことにも特徴を有する。
【００１３】
また、中間保持部は高さと前後左右位置を変更できるべく構成したことにも特徴を有する。
【００１４】
また、ギター支持フレームは基部と、基部に当接した支柱と、支柱の上端に連設した天井板と、支柱の中間部に連設した中間板とよりなり、下部保持部は上記中間板に載置し、中間保持部は支柱上部に設けてなることにも特徴を有する。
【００１５】
【発明の実施の形態】
この発明は、基部と、基部に当接した支柱と、支柱の上端に連設した天井板と、支柱の中間部に連設した中間板とよりなるギター支持フレームと、同ギター支持フレームの中間板に載置した下部保持部と、同ギター支持フレームの支柱上部に設けた中間保持部とで構成されており、演奏者は本発明のギターの保持台を抱きかかえるような状態でその前に座して下部保持部にギター胴部の下端隅部を、中間保持部にそれぞれギター胴部を保持させるものである。
【００１６】
特に、下部保持部は設置位置での開口方向を変更できるべく構成し、また、中間保持部は高さと前後左右位置を変更できるよう構成しているため、ほとんどの演奏者の体格、演奏フォームに対応するようにギターの姿勢を変更保持することができる。
【００１７】
このように演奏者の体格、演奏フォームに対応するようにギターを保持したギターの保持台を用いて演奏することにより、ギター胴部を確実に支持しながらも、ギターを人体に密着することなく演奏できるため、ギターの響きをほぼ１００％空間に出せて、ギター本来の美しい音色を響かせることができる。
【００１８】
さらに、演奏者は足台などを使用する必要もないことから、左右の体重バランスがくずれることによる体の痛みからも解放される。
【００１９】
また、ギターを人体以外の部品で支持するため、演奏者の着座姿勢が自然で、長時間の練習でも、従来のスタイルに比べてはるかに疲労を少なくすることができる。
【００２０】
【実施例】
図１に示すＡはギターの保持台であり、同ギターの保持台Ａは、ギター支持フレームＦと下部保持部20と中間保持部10とで構成している。
【００２１】
ギター支持フレームＦは、略矩形平板状の基部１と、同基部１の前側両角部より上下方向に伸延するように配設した前側支柱4a,4aと、同基部１の後側左角部より上下方向に伸延するように配設した後側支柱4bと、前側支柱4a,4aの上端に配設した天井板３と、前・後側支柱4a,4a,4bの中途部に配設した中間板２とで構成している。後側支柱4bは、中間板２より上方部分の後側支柱上部4b’と中間板２より下方部分の後側支柱下部4b"とで構成している。
【００２２】
なお、本実施例では支柱を３本にして構成しているが、支柱は必ずしも３本に限られるものではない。すなわち、中間板２や天井板３、あるいは中間保持部10などを支えられさえすれば一本でも複数本の支柱を設けてもよいことはいうまでもない。
【００２３】
天井板３は、略矩形平板状に形成しており、この天井板３上に楽譜等を置いたりできるようにしている。
【００２４】
なお、天井板３は、より楽譜を見やすくできるように演奏者側に斜めに傾けて配設してもよく、その場合は楽譜が滑り落ちるのを防止するための止め部（図示しない）を設けるとよい。
【００２５】
また、略矩形平板状の中間板２の略中央には、後述する下部保持部20が取り付けてあり、この下部保持部20によりギター胴部の下端隅部を支持するようにしている。
【００２６】
下部保持部20は、図２に示すように、上方を開口した略矩形箱状の枠体22よりなり、同枠体22はボルト23により中間板２に設置して、中間板２に直交する軸周りを回動可能にしている。このように構成することで、ボルト23を緩める際に、下部保持部20の設置位置での開口方向を中間板２に直交する軸周りに自在に変更でき、様々な状況、例えば演奏者の体格、演奏フォームに対応するようにギターの姿勢を変更保持することができる。
【００２７】
枠体22の上方開口部の左右端縁には、ゴム等の弾性を有するスリップ防止体21を設けて、下部保持部20内に保持されるギターをその内部で滑らないようにしている。なお、スリップ防止体21として防振作用のあるコルク等の素材を用いて、ギター本来の音をより空間に響くようにすることもできる。
【００２８】
なお、このようにスリップ防止体21を設けなくても、枠体22の上方開口部端縁にスリップ防止機能を果たす加工を施してもよい。
【００２９】
また、後側支柱4bの上端には中間保持部10を設けて、ギター胴部の裏面と側面との境に形成された角部を保持するようにしている。
【００３０】
すなわち、中間保持部10は、略矩形枠状の中間保持フレーム14と、同中間保持フレーム14に連設した略Ｌ字（直角）形状の受体11とで構成されており、この受体11は、中間保持フレーム14から斜め上方に突設して、ギター胴部の裏面と側面との境に形成された角部を当接させるようにしてある。
【００３１】
また、中間保持フレーム14上を略矩形状の挟圧板12aで挟む一方、中間保持フレーム14下を略矩形状の挟圧板12bにより挟み、両挟圧板12a,12bの略中央を貫通するボルト13で後側支柱4b上端に固定するようにしている。
【００３２】
なお、中間保持フレーム14下に配した挟圧板12bの厚みを変えたり、挟圧板12bを複数枚配設したりすることで、中間保持部10の高さを変更することができる。
【００３３】
このように構成することで、ボルト13を緩める際に、中間保持部10の高さと前後左右位置を自在に動かすことができて、所望の位置、すなわち、演奏者の体格、演奏フォーム、ギターの形状など様々な状況に対応するようにギターの姿勢を変更保持することができる。
【００３４】
本発明にかかるギターの保持台Ａは以上のように構成されており、以下には、図１、２、４を参照しながら、上記ギターの保持台Ａを用いてのギター演奏方法について説明する。
【００３５】
（１）まず、ボルト13,23を緩めて、演奏者の体格、演奏フォーム、ギターの形状などに合わせた位置に下部保持部20と中間保持部10を設定し、再びボルト13,23を締める。
【００３６】
（２）図４に示すように、ギターＧ胴部を下部保持部20と中間保持部10にそれぞれ支持させると共に、演奏者Ｈはイス等に座りながら、基部１を足で踏み、ギターの保持台Ａを固定する。
【００３７】
（３）開脚した両足の間にギターの保持台Ａを位置させて、ギターＧを抱きかかえるようにして座してギターを演奏する。
【００３８】
このようにギターの保持台Ａを用いて演奏することで、ギターＧ胴部を確実に安定するように支持しながらも、ギターＧを演奏者Ｈに密着することなく演奏でき、ギターの響きをほぼ１００％空間に出せて、ギター本来の美しい音色を響かせることができる。
【００３９】
しかも、ほとんどの演奏者の体格、演奏フォーム、また、様々なギターの形状に対応するようにギターの姿勢を変更保持することができる。
【００４０】
さらに、足台などを使用する必要もないことから、左右の体重バランスがくずれることによる体の痛みからも解放される。
【００４１】
また、ギターを人体以外の部品で支持するため、着座姿勢が自然で、従来のスタイルに比べて、長時間の練習でも疲労がはるかに少ない。
【００４２】
（実施例２）
図３、図５に示すＡは、ギターの保持台の他実施例であり、図１及び図２の実施例と構成をほぼ同じくしているが、下部保持部20の構成において異なっており、その構成について説明する。
【００４３】
この実施例における下部保持部20は、略矩形状の下部保持底板25と、上方を開口し底面を略半円弧状に形成する略矩形箱状の枠体22’と、スリップ防止体21とで構成している。
【００４４】
下部保持底板25と枠体22’とは位置調節板26を介して連設している。
【００４５】
図５に示すように、略矩形状の位置調節板26は、下部保持底板25の上面と蝶番27により連設する一方、ボルト24により枠体22’側壁と連設している。
【００４６】
下部保持底板25は、ボルト23により中間板２に設置している。
【００４７】
このように構成することで、下部保持部20の設置位置での開口方向、開口角度、開口位置を上下左右により自在に設定する場合は、ボルト23を緩めて下部保持底板25を自在に動かすことで開口位置を設定できると共に、ボルト24を緩めて枠体22’の底面を略半円弧状に形成したことにより、枠体22’をゆりかごのように動かして開口方向を設定することができる。
【００４８】
しかも、図５に示すように、位置調節板26は、下部保持底板2 5と蝶番27により連設しているので、下部保持部20の開口角度を、ギターの腹側（前面側）方向、またはギターの背中側（後面側）方向へと自在に設定することができる。
【００４９】
したがって、下部保持部20の開口方向をより自在に設定できて、様々な状況、例えば演奏者の体格、演奏フォーム、ギターの形状に対応するようにギターの姿勢を変更保持することができる。
【００５０】
また、枠体22’の底面全体にわたってゴム等の弾性を有するスリップ防止体21を設けて、ギターが滑らないようにしている。
【００５１】
なお、図中、図１及び図２に示した部分に対応する部分には同じ番号を付してその説明を省略する。
【００５２】
（実施例３）
図６はギターの保持台Ａの実施例３における平面図、図７はギターの保持台Ａの実施例３における右側面図である。
【００５３】
実施例３におけるギターの保持台Ａの下部保持部20は、正面視略Ｌ字状の板体22"aと、正面視略逆Ｔ字状の板体22"bとを向かい合わせに配設している。このように構成することで両板体22"a,22"b間を上方開口の略矩形枠状態としており、このようにしてもギター胴部の下端隅部を支持することができると共に、製造コストを少なくでき、しかも、各板体22"a,22"b間の空間から美しいギターの音色を響かせることができる。
【００５４】
また、図７に示すように、中間板２の略中央部右前側には、前後にわたる位置設定溝30aを形成している。一方、中間板２の略中央部後側には、前後にわたる位置設定溝30a'を形成している。また各板体22"a,22"bにはそれぞれ位置設定溝30bを形成している。
【００５５】
これらの位置設定溝30a,30b、または30a',30bを貫通するボルト40で各板体22"a,22"bを中間板２に固定することにより、同ボルト40を緩める際に下部保持部20を摺動自在にできるようにしている。このように構成することで、下部保持部20の設置位置を前後左右に設定できると共に、設置角度も自在に設定することができ、様々なギターの形状や、演奏者の体格、演奏フォームに対応するようにギターの姿勢を変更保持することができる。
【００５６】
また、各板体22"a,22"bの上面全体にわたってゴム等の弾性を有するスリップ防止体21を設けて、ギターが滑らないようにしている。
【００５７】
また、実施例３における後側支柱上部4b’は、略Ｌ字状の後側支柱構成部4b-1と、後側支柱構成部4b-1の上端に連接する略Ｌ字状の後側支柱構成部4b-2と、矩形状の後側支柱構成部4b-3とで構成している。後側支柱構成部4b-2と後側支柱構成部4b-3には位置調整溝50を設けており、各位置調整溝50を貫通するボルト60により後側支柱構成部4b-2と後側支柱構成部4b-3とを連結固定している。後側支柱構成部4b-1と中間板２とはボルト70で連設している。このように構成することで、各ボルト60,70を緩める際には、後側支柱上部4b’の上下左右高さ角度を設定自在にできると共に、後側支柱上部4b’の位置を中間板２に直交する軸回りに回動自在にすることができる。
【００５８】
また、実施例３における中間保持部10は、受体11にさらに受体補助体11aをネジ110により摺動可能とするよう配設してギターをより確実に挟み込むように保持できるようにしている。しかも、各受体11のギターと略接触する位置にはスリップ防止体21を配設してギターを滑らないようにしている。
【００５９】
このように構成することで、ギターを確実に保持しながら中間保持部10の前後左右高さを自在に変更できるようにしている。
【００６０】
また、図６、７に示すように、前側支柱4a、後側支柱4bに複数の孔（図示しない）を開け、その孔にボルト100を通し、ナット類で締結することによりギターの保持台Ａを所望の高さに設定できるようにしている。このように構成することで、ギターの演奏位置をより自在に設定できる。なお、ギターの保持台Ａの高さの設定は、孔にボルト100を通し、ナット類で締結して高さを変更することに限られるものではなく、高さが変更できさえすればよく、例えば、ガスシリンダのような脚支柱で高さ調節を自在にしたり、また、エアーガスなどを用いるなどして、高さを変更できるようにしてもよい。
【００６１】
なお、実施例３以外の前述した各実施例においても、ギターの保持台Ａの高さを変更できるようにしてもよいのはいうまでもない。
【００６２】
なお、図中、図１、２及び図３、５に示した部分に対応する部分には同じ番号を付してその説明を省略する。
【００６３】
【発明の効果】
（１）請求項１記載の本発明では、ギター胴部の下端隅部を支持するための下部保持部と、ギター胴部のくぼみ部近傍を支持するための中間保持部とをギター支持フレームに設けたので、ギターを確実に保持できる。しかも、ギターを人体に密着することなく演奏でき、ギターの響きをほぼ１００％空間に出せて、ギター本来の美しい音色を響かせることができる。しかも、演奏者は足台などを使用する必要がないことから、左右の体重バランスがくずれることによる体の痛みからも解放される。
【００６４】
（２）請求項２記載の本発明では、下部保持部は上方開口の略矩形枠体よりなり、同略矩形枠体の上方開口部の端縁は、ギター胴部の側部湾曲面を当接するためのスリップ防止体に形成したので、載置したギターが滑ったりすることを防止して、ギターをより確実に保持するとともに、ギターを安定して演奏することができる。
【００６５】
（３）請求項３記載の本発明では、中間保持部はギター胴部の裏面と側面との境に形成された角部を保持すべく略直角形状の受体に形成したので、ギターの側胴部を確実に支持することができるとともに、ギターを人体に密着することなく演奏することができる。
【００６６】
（４）請求項４記載の本発明では、下部保持部は設置位置での開口方向を変更できるべく構成したので、ほとんどの演奏者の体格、演奏フォーム、また、様々なギターの形状に対応するようにギターの姿勢を変更保持することができる。このため、着座姿勢を自然な状態にすることができ、長時間の練習でも、従来のスタイルに比べてはるかに疲労を少なくすることができる。
【００６７】
（５）請求項５記載の本発明では、中間保持部は高さと前後左右位置を変更できるべく構成したので、ほとんどの演奏者の体格、演奏フォーム、また、様々なギターの形状に対応するようにギターの姿勢を変更保持することができる。このため、着座姿勢を自然な状態にすることができ、長時間の練習でも、従来のスタイルに比べてはるかに疲労を少なくすることができる。
【００６８】
（６）請求項６記載の本発明では、ギター支持フレームは基部と、基部に当接した支柱と、支柱の上端に連設した天井板と、支柱の中間部に連設した中間板とよりなり、下部保持部は上記中間板に載置し、中間保持部は支柱上部に設けたので、ギターを人体以外の部品でより確実に支持することができる。したがって、ギターを人体に密着することなく演奏でき、ギターの響きをほぼ１００％空間に出せて、ギター本来の美しい音色を響かせることができる。しかも、演奏者は足台などを使用する必要がないことから、左右の体重バランスがくずれることによる体の痛みからも解放される。
【図面の簡単な説明】
【図１】本発明にかかるギターの保持台Ａの全体斜視図である。
【図２】本発明にかかるギターの保持台Ａの平面図である。
【図３】ギターの保持台Ａの実施例２における平面図である。
【図４】本発明にかかるギターの保持台Ａの使用状態を示す全体斜視図である。
【図５】ギターの保持台Ａの実施例２における右側面図である。
【図６】ギターの保持台Ａの実施例３における平面図である。
【図７】ギターの保持台Ａの実施例３における右側面図である。
【符号の説明】
Ａ  ギターの保持台
Ｆ  ギター支持フレーム
Ｇ  ギター
１  基部
２  中間板
３  天井板
4a  前側支柱
4b  後側支柱
10  中間保持部
20  下部保持部
21  スリップ防止体
【図１】
2004198739.tif 000003
【図２】
2004198739.tif 000004
【図３】
2004198739.tif 000005
【図４】
2004198739.tif 000006
【図５】
2004198739.tif 000007
【図６】
2004198739.tif 000008
【図７】
2004198739.tif 000009